(57)【要約】【課題】トイレ室の壁に埋め込まれる男性用小便装置において、トイレ室の壁が薄い一般家庭用住宅においても、過剰に突出することなく設置できるようにコンパクト化を図る。【解決手段】開放部６がトイレ室２内に露出するようにトイレ室２の壁５に埋め込まれる小便器本体７と、小便器本体７の下部にヒンジ８を介して開閉自在に取り付けられ、閉時に小便器本体７の開放部６を覆い、開時に開放部６を開放すると共に小便器本体７に対して斜め上方に傾斜した姿勢となる蓋板９と、蓋板９の左右の端部と開放部６の左右の端部との間に夫々設けられ、蓋板９を閉じたとき折り畳まれ、蓋板９を開いたとき展開される扇状の蛇腹板１０と、蓋板９を閉じたとき、開放部６が覆われて形成された閉空間１１に洗浄水を噴射する洗浄手段１２とを備え、放尿時に蓋板９を開くことで、蓋板９と小便器本体７と蛇腹板１０によって、上方が開いた小便器Ｕを構成する。【選択図】図２
2018115481.tif 000002
【特許請求の範囲】
【請求項１】
前面に開放部を有しその開放部がトイレ室内に露出するようにトイレ室の壁に埋め込まれる小便器本体と、
該小便器本体の下部にヒンジを介して開閉自在に取り付けられ、閉時に前記小便器本体の前記開放部を覆い、開時に前記開放部を開放すると共に前記小便器本体に対して斜め上方に傾斜した姿勢となる蓋板と、
該蓋板の左右の端部と前記開放部の左右の端部との間に夫々設けられ、前記蓋板を閉じたとき折り畳まれ、前記蓋板を開いたとき展開される扇状の蛇腹板と、
前記蓋板を閉じたとき、前記小便器本体の前記開放部が前記蓋板によって覆われて形成された閉空間に洗浄水を噴射する洗浄手段とを備え、
放尿時に前記蓋板を開くことで、前記蓋板と前記小便器本体と前記蛇腹板によって、上方が開いた小便器を構成する、ことを特徴とする男性用小便装置。
【請求項２】
前記洗浄手段が、前記蓋板を閉じたとき、前記小便器本体の上部から前記閉空間を区画する前記小便器本体の内面に向けて洗浄水を噴射する本体用ノズルと、前記小便器本体の上部から前記閉空間を区画する前記蓋板の内面に向けて洗浄水を噴射する蓋用ノズルとを有する、ことを特徴とする請求項１に記載の男性用小便装置。
【請求項３】
前記小便器本体の上部に接続され、前記洗浄手段に洗浄水を供給するための給水管と、  前記小便器本体の下部に接続され、洗浄水および尿を排水するための排水管とを備え、
これら給水管および排水管が、前記トイレ室の壁の内部に埋め込まれ、トイレ室内に露出しない、ことを特徴とする請求項１または２に記載の男性用小便装置。
【請求項４】
前記蓋板が、前記小便器本体の下部に前記ヒンジを介して上下方向に回動自在に取り付けられた正面板と、該正面板の左右に設けられ前記正面板を上方に回動させたとき前記開放部の左右の端部に当接する側面板とを有し、
該側面板の内面に段差部が形成され、
該段差部に前記蛇腹板が取り付けられ、
前記正面板を上方に回動させて前記側面板が前記開放部の左右に当接したとき、前記蛇腹板が折り畳まれて前記段差部に収容される、ことを特徴とする請求項１から３の何れか１項に記載の男性用小便装置。
【発明の詳細な説明】
【技術分野】
【０００１】
本発明は、トイレ室の壁に埋め込まれるように設置される男性用小便装置に係り、特に、トイレ室の壁が薄い一般家庭用住宅等においてもトイレ室内に過剰に突出することなく設置できるコンパクトな男性用小便装置に関する。
【背景技術】
【０００２】
学校、病院、ホテル、駅舎、その他、公共の施設等のトイレ室の壁に埋め込まれるように設置される男性用小便装置として、トイレ室の壁に埋め込まれる小便器本体と、小便器本体の正面にトイレ室内に臨んで形成された中央開口部と、小便器本体の中央開口部の位置に水平回転軸を介して上下方向に回動自在に取り付けられた漏斗状放尿受部とを備えたものが知られている（特許文献１参照）。
【０００３】
かかる男性用小便装置においては、使用時（放尿時）には、漏斗状放尿受部を水平回転軸回りに下方に回動させて、漏斗状放尿受部が小便器本体の中央開口部からトイレ室内に斜めに傾斜して突出した状態とし、不使用時には、漏斗状放尿受部を水平回転軸回りに上方に回動させて、漏斗状放尿受部が小便器本体の内部に鉛直姿勢で格納された状態とする。
【０００４】
このように、漏斗状放尿受部は、使用時のみトイレ室の壁から突出し、不使用時にはトイレ室の壁に埋め込まれた小便器本体の内部に格納されるので、トイレ室の室内スペースを侵食しない。よって、トイレ室の室内面積を小さくでき、建築面積や建築コストが軽減できる（特許文献１の段落００１２参照）。
【先行技術文献】
【特許文献】
【０００５】
【特許文献１】特開平２０１３−９２０２９号公報
【発明の概要】
【発明が解決しようとする課題】
【０００６】
ところで、上述した男性用小便装置においては、小便装置として使用しないとき、漏斗状放尿受部が小便器本体内に格納されるので、小便器本体の内部に漏斗状放尿受部を格納するためのスペースを確保しなければならない。一方、漏斗状放尿受部は、それ自身で（一物品で）放尿を適切にキャッチするために、一定の大きさが必要である。
【０００７】
従って、そのような漏斗状放尿受部を格納する小便器本体は、厚さ方向の寸法（トイレ室の壁の厚さ方向の寸法）が、ある程度大きくならざるを得ない。このように厚い小便器本体は、マンションや戸建て住宅等の壁の薄いトイレ室に設置できない。すなわち、小便器本体の厚さ方向の寸法が、一般家庭用住宅のトイレ室の壁の厚さよりも遙かに大きくなるため、そのような小便器本体をトイレ室の壁に適切に埋め込むことはできない。
【０００８】
仮に、上述した小便器本体を一般家庭用住宅（マンション、戸建て等の個人住宅）のトイレ室の壁に設置した場合、小便器本体の一部のみがトイレ室の壁に埋め込まれ、小便器本体の殆どの部分がトイレ室に突出してしまい、トイレ室の室内スペースが侵食されてしまう。従って、トイレ室をコンパクトに設計して建築コストを軽減するという目的が達成できない。
【０００９】
以上の事情を考慮して創案された本発明の目的は、トイレ室の壁に埋め込まれるように設置される男性用小便装置であって、一般家庭用住宅等の薄い壁であってもトイレ室内に過剰に突出することなく設置できるコンパクトな男性用小便装置を提供することにある。
【課題を解決するための手段】
【００１０】
上述した目的を達成すべく創案された本発明によれば、前面に開放部を有しその開放部がトイレ室内に露出するようにトイレ室の壁に埋め込まれる小便器本体と、小便器本体の下部にヒンジを介して開閉自在に取り付けられ、閉時に小便器本体の開放部を覆い、開時に開放部を開放すると共に小便器本体に対して斜め上方に傾斜した姿勢となる蓋板と、蓋板の左右の端部と開放部の左右の端部との間に夫々設けられ、蓋板を閉じたとき折り畳まれ、蓋板を開いたとき展開される扇状の蛇腹板と、蓋板を閉じたとき、小便器本体の開放部が蓋板によって覆われて形成された閉空間に洗浄水を噴射する洗浄手段とを備え、放尿時に蓋板を開くことで、蓋板と小便器本体と蛇腹板によって、上方が開いた小便器を構成する、ことを特徴とする男性用小便装置が提供される。
【００１１】
本発明に係る男性用小便装置においては、洗浄手段が、蓋板を閉じたとき、小便器本体の上部から閉空間を区画する小便器本体の内面に向けて洗浄水を噴射する本体用ノズルと、小便器本体の上部から閉空間を区画する蓋板の内面に向けて洗浄水を噴射する蓋用ノズルとを有していてもよい。
【００１２】
本発明に係る男性用小便装置においては、小便器本体の上部に接続され、洗浄手段に洗浄水を供給するための給水管と、小便器本体の下部に接続され、洗浄水および尿を排水するための排水管とを備え、これら給水管および排水管が、トイレ室の壁の内部に埋め込まれ、トイレ室内に露出しないようになっていてもよい。
【００１３】
本発明に係る男性用小便装置においては、蓋板が、小便器本体の下部にヒンジを介して上下方向に回動自在に取り付けられた正面板と、正面板の左右に設けられ正面板を上方に回動させたとき開放部の左右の端部に当接する側面板とを有し、側面板の内面に段差部が形成され、段差部に蛇腹板が取り付けられ、正面板を上方に回動させて側面板が開放部の左右に当接したとき、蛇腹板が折り畳まれて段差部に収容されるようになっていてもよい。
【発明の効果】
【００１４】
本発明に係る男性用小便装置によれば、次のような効果を発揮できる。
（１）放尿時（使用時）には、蓋板を開いて小便器本体の前面の開放部を開放する。すると、蓋板の左右の端部と開放部の左右の端部との間に設けられた蛇腹板が扇状に展開され、蓋板と小便器本体と蛇腹板とによって、上方が開いた小便器が構成される。このように、開かれた蓋板と扇状に展開された蛇腹板と小便器本体との３部品で、上方が開いた小便器を構成するので、小便器本体の厚さ方向の寸法（トイレ室の壁の厚さ方向の寸法）を小さくしても、使用時には小便器としての必要な寸法を確保できる。
厚さの薄い小便器本体は、壁の薄いトイレ室（マンション、戸建て等の一般家庭用住宅等）の壁に、その殆どの部分を埋め込むように設置でき、トイレ室の壁が薄い一般家庭用住宅であっても、トイレ室内に過剰に突出することなく設置できる。従って、マンションや戸建て等の一般家庭用住宅のトイレ室において、通常の便器（洋式便器）の他に本発明に係る男性小便装置を追加設置しても、小便器本体がトイレ室の壁から過剰に突出しないため、圧迫感を軽減でき、トイレ室をコンパクトに設計でき、建築コストの増大を抑制できる。
（２）不使用時（通常時）には、蓋板を閉じる。すると、蛇腹板が折り畳まれ、蓋板によって小便器本体の前面の開放部が覆われる。この結果、放尿を受ける部分が、不使用時には閉空間の内方に閉じ込められて露出しない状態となり、清潔感が生じる。
また、蓋板を小便器本体の前面の開放部を覆うように閉じることで、蓋板がトイレ室の内方に突出しない状態となる。従って、マンションや戸建て等の一般家庭用住宅のトイレ室において、通常の便器（洋式便器）の他に本発明に係る男性小便装置を追加設置しても、洋式便器の使用中に、男性小便装置の蓋板が邪魔になることはなく、トイレ室をコンパクトに設計でき、建築コストの増大を抑制できる。
また、蓋板を閉じたとき、小便器本体の開放部が蓋板によって覆われて形成された閉空間に、洗浄手段が洗浄水を噴射するので、放尿を受ける部分が洗浄され、清潔性が保たれる。
【図面の簡単な説明】
【００１５】
【図１】本発明の一実施形態に係る男性用小便装置および通常の洋式便器が設置されたトイレ室の概要を示す説明図である。
【図２】本実施形態に係る男性用小便装置の斜視図である。
【図３】本実施形態に係る男性用小便装置の側断面図である。
【図４】本実施形態に係る男性用小便装置の蓋板の回動および蛇腹板の展開を示す説明図であり、（ａ）は蓋板を閉じた側面図、（ｂ）は蓋板を途中まで開いた側面図、（ｃ）は蓋板を完全に開いた側面図、（ｄ）は（ａ）の横断面図、（ｅ）は（ｂ）の横断面図、（ｆ）は（ｃ）の横断面図である。
【図５】本発明の変形例に係る男性用小便装置の横断面図である。
【図６】本発明の別の変形例に係る男性用小便装置の側面図である。
【発明を実施するための形態】
【００１６】
以下に添付図面を参照しながら、本発明の好適な実施形態について詳細に説明する。係る実施形態に示す寸法、材料、その他具体的な数値等は、発明の理解を容易にするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１７】
（男性用小便装置１の概要）
図１に示すように、本実施形態に係る男性用小便装置１は、マンションや戸建て等の一般家庭用住宅のトイレ室２において、トイレ室２の床３に設置される通常の便器（洋式便器）４に加えて、トイレ室２の壁（例えば左壁または右壁）５に設置される。
【００１８】
図２に示すように、この男性用小便装置１は、前面に開放部６を有しその開放部６がトイレ室２内に露出するようにトイレ室２の壁５に埋め込まれる小便器本体７と、小便器本体７の下部にヒンジ８を介して開閉自在に取り付けられ、閉時に小便器本体７の開放部６を覆い、開時に開放部６を開放すると共に小便器本体７に対して斜め上方に傾斜した姿勢となる蓋板９と、蓋板９の左右の端部と開放部６の左右の端部との間に夫々設けられ、蓋板９を閉じたとき折り畳まれ、蓋板９を開いたとき展開される扇状の蛇腹板１０と、蓋板９を閉じたとき、小便器本体７の開放部６が蓋板９によって覆われて形成された閉空間１１（図４（ｄ）参照）に洗浄水を噴射する洗浄手段１２とを備えており、放尿時に蓋板９を開くことで、蓋板９と小便器本体７と蛇腹板１０によって、上方が開いた小便器Ｕを構成するものである。以下、各構成要素を説明する。
【００１９】
（小便器本体７）
図２、図３に示すように、小便器本体７は、薄い直方体状に形成され、内方に洗浄手段１２が組み込まれた上部７ａと、放尿を受ける開放部６が正面に開口された中部７ｂと、内方に排水部１４が形成された下部７ｃとを備えており、トイレ室２の壁５に埋め込まれるように設置される。小便器本体７の厚さ方向の寸法（トイレ室２の壁５の厚さ方向の寸法）は、例えば、トイレ室２の壁５の厚さの１倍〜２倍（好ましくは１倍〜１．５倍）となっており、小便器本体７は、例えば、厚さ方向の寸法の半分以上の部分がトイレ室２の壁５に埋め込まれるようになっている。
【００２０】
図２、図３に示すように、小便器本体７の上部７ａには、開放部６が蓋板９によって覆われたとき、内部に形成される閉空間１１（図４（ｄ）参照）に洗浄水を噴射する洗浄手段１２が収容されている。図２に示すように、小便器本体７の中部７ｂの左右には、閉姿勢となった蓋板９が嵌り込む切欠部１３が形成されている。切欠部１３は、正面縁部１３ａと上部縁部１３ｂと下部縁部１３ｃとから側方視コ字状に形成されており、左右の切欠部１３の内方の部分が開放部６となっている。図３に示すように、開放部６の内面６ａは、放尿された尿を下方に適切に案内するため、側方から視て上下方向に滑らかにカーブした傾斜面となっている。小便器本体７の下部７ｃには、放尿された尿や洗浄水を排水する排水部１４が形成されている。排水部１４は、尿や洗浄水が一時的に貯められる貯留部１４ａと、貯留部１４ａに設けられた排水口１４ｂとから構成されている。小便器本体７の材質には、樹脂や陶器等が用いられる。
【００２１】
（蓋板９）
図２、図３に示すように、小便器本体７の下部７ｃ（開放部６の下端）には、ヒンジ８を介して蓋板９が開閉自在に取り付けられている。蓋板９は、閉時に小便器本体７の開放部６を覆い（図４（ａ）、図４（ｄ）参照）、開時に開放部６を開放すると共に小便器本体７に対して斜め上方に傾斜した姿勢となる（図４（ｃ）、図４（ｆ）参照）。なお、図４（ｂ）、図４（ｅ）は、蓋板９を中間的な開度に開いた様子を示す。
【００２２】
図２に示すように、蓋板９は、小便器本体７の下部７ｃにヒンジ８を介して上下方向に回動自在に取り付けられた正面板９ａと、正面板９ａの左右に設けられた側面板９ｂとを有し、断面が略コ字状に形成されている。正面板９ａをヒンジ８によって上方に回動させたとき、側面板９ｂが開放部６の左右の端部（切欠部１３）に当接して、側面板９ｂおよび正面板９ａが共同して開放部６を覆い、その内方に閉空間１１（図４（ｄ）参照）が形成される。蓋板９の材質には、樹脂や陶器等が用いられる。
【００２３】
図３に示すように、蓋板９の正面板９ａの内面と小便器本体７の貯留部１４ａの内面との接続部１５は、シール膜１６によって覆われている。シール膜１６は、ゴムや樹脂等の可撓性を有する材料から、上記接続部１５の幅方向の寸法に合わせた幅広の長方形状に形成されており、蓋板９の正面板９ａと小便器本体７の下部７ｃとを架け渡すように、それらの内面に接着等によって装着されている。シール膜１６は、蓋板９と小便器本体７との接続部１５から、尿や洗浄水が漏れることを防止する。
【００２４】
（蛇腹板１０）
図２、図３に示すように、蓋板９の左右の端部と開放部６の左右の端部との間には、扇状の蛇腹板１０が設けられている。蛇腹板１０は、図３に示すように、扇の外側の折畳寸法Ｘが扇の内側の折畳寸法Ｙよりも大きく設定されており、蓋板９を閉じたとき折り畳まれて細長い長方形状となり（図４（ａ）、図４（ｄ）参照）、蓋板９を開いたとき展開されて扇状となる（図４（ｃ）、図４（ｆ）参照）。蛇腹板１０の材質には、展開・折畳が容易で、且つ展開・折畳を繰り返しても破損し難い耐久性の有る材質（例えばゴムや樹脂等）が用いられる。
【００２５】
図２、図３に示すように、蓋板９の左右の側面板９ｂの内面には、折り畳まれた蛇腹板１０を収容するための段差部１７が形成されており、蛇腹板１０は、蓋板９の左右の側面板９ｂの段差部１７と、小便器本体７の開放部６の左右の端部（切欠部１３）との間に、介設されている。すなわち、展開時に扇状となる蛇腹板１０は、一方の側部が蓋板９の側面板９ｂの段差部１７に接着等によって取り付けられ、他方の側部が小便器本体７の開放部６の左右の端部（切欠部１３の正面縁部１３ａ）に同様に取り付けられ、下部が小便器本体７の切欠部１３の下部縁部１３ｃに同様に取り付けられている。この蛇腹板１０は、蓋板９を閉じて側面板９ｂが開放部６の左右に当接したとき（図４（ａ）、図４（ｄ）参照）、折り畳まれて段差部１７に収容される。また、蛇腹板１０は、蓋板９を開いて側面板９ｂが開放部６の左右から離間したとき（図４（ｃ）、図４（ｆ）参照）、段差部１７から引き出されて扇状に展開される。
【００２６】
図３に示すように、蓋板９の側面板９ｂと小便器本体７の切欠部１３の下部縁部１３ｃとの間には、蛇腹板１０ではカバーできない領域が存在するため、その部分をカバーする膜体（図３にてドットで示す）１８が設けられている。膜体１８は、例えばゴム等の伸縮性を有する材料からなり、蓋板９の側面板９ｂの底面に形成された凹部１９と、小便器本体７の切欠部１３の下部縁部１３ｃと、蛇腹板１０の側部とに、接着等によって取り付けられている。この膜体１８は、蓋板９を閉じて側面板９ｂが開放部６の左右に当接したとき（図４（ａ）、図４（ｄ）参照）、収縮して蓋板９の側面板９ｂの底面に形成された凹部１９に収容される。また、膜体１８は、蓋板９を開いて側面板９ｂが開放部６の左右から離間したとき（図４（ｃ）、図４（ｆ）参照）、伸長して図３にドットで示すように蛇腹板１０ではカバーできない領域を覆って、尿や洗浄水の漏れを防止する。このとき、伸長された膜体１８には復元力が生じるが、伸長量が僅かであるので復元力も小さく問題とならない。
【００２７】
（洗浄手段１２）
図２、図３に示すように、小便器本体７の上部７ａには、洗浄手段１２が内蔵されている。洗浄手段１２は、開放部６が蓋板９によって覆われたときに形成される閉空間１１（図４（ｄ）参照）に洗浄水を噴射するものである。洗浄手段１２は、小便器本体７の上部の内部に幅方向（左右方向）に沿って形成された洗浄水貯留部２０と、洗浄水貯留部２０に接続された本体用ノズル２１と、洗浄水貯留部２０に接続された蓋用ノズル２２とを有する。
【００２８】
図３に示すように、本体用ノズル２１は、その出口が小便器本体７の開放部６の上部の内面６ａに沿うように（すなわち下方に向くように）、カーブして形成されている。蓋用ノズル２２は、その出口が閉じられた蓋板の上部の内面に向くように（すなわち水平に対して斜め下方に向くように）、カーブして形成されている。これら本体用ノズル２１および蓋用ノズル２２は、夫々、小便器本体７の幅方向（左右方向）に間隔を隔てて複数形成されている。
【００２９】
図２、図３に示すように、小便器本体７の上部７ａには、洗浄手段１２の洗浄水貯留部２０に洗浄水を供給するための給水管２３が接続されている。給水管２３は、図１に示すように、洋式便器４の給水パイプ２４から分岐され、トイレ室２の床３の下方や壁５の内部を通って、小便器本体７の上部まで敷設されている。すなわち、給水管２３は、トイレ室２の壁５の内部に埋め込まれており、トイレ室２内に露出しない。
【００３０】
図２、図３に示すように、給水管２３には、管内を開閉する開閉弁２５が設けられ、小便器本体７の上部７ａの壁５内には、開閉弁２５を開閉制御する制御部２６が設けられ、小便器本体７の上部７ａ７の壁５外には、制御部２６を作動させる洗浄ボタン２７が設けられている。制御部２６は、蓋板９が閉じられた状態で洗浄ボタン２７が押されたとき、開閉弁２５を一定時間（例えば３０秒）開き、その後閉じる制御を行う。
【００３１】
なお、図示はしないが、蓋板９と小便器本体７との間には、蓋板９を閉姿勢で保持するためのクリック機構が設けられ、クリック機構には、蓋板９が閉じられたときのみオンとなるリミットスイッチが設けられている。そして、制御部２６は、リミットスイッチがオンとなったときのみ、開閉弁２５を開く。これにより、洗浄水は、蓋板９が閉じられた状態のときのみ噴射され、蓋板９が開いた状態のときには噴射されない。よって、洗浄水が、開かれた蓋板９の内面に当たって跳ね返り、トイレ室２内にまき散らされる事態を回避できる。
【００３２】
図２、図３に示すように、小便器本体７の下部には、洗浄水および尿を排水するための排水管２８が接続されている。排水管２８は、小便器本体７の下部７ｃの貯留部１４ａに設けられた排水口１４ｂに接続されており、Ｓ字管（排水トラップ）２９を介してトイレ室２の壁５の内部を通って下方に延設され、図１に示すように、トイレ室２の床３の下方において洋式便器４の排水パイプ３０に繋がれている。すなわち、排水管２８は、トイレ室２の壁５の内部に埋め込まれており、トイレ室２内に露出しない。
【００３３】
（作用・効果）
放尿時（使用時）には、図４（ｃ）図４（ｆ）に示すように、蓋板９を開いて小便器本体７の前面の開放部６を開放する。すると、図２、図３に示すように、蓋板９の左右と開放部６の左右との間に設けられた蛇腹板１０が扇状に展開され、蓋板９と小便器本体７と蛇腹板１０とによって、上方が開いた小便器Ｕが構成される。なお、展開された蛇腹板１０は、蓋板９の傾斜角度を定めるストッパとなる。このように、開かれた蓋板９と扇状に展開された蛇腹板１０と小便器本体７との３部品で、上方が開いた小便器Ｕを構成するので、小便器本体７の厚さ方向の寸法（トイレ室２の壁５の厚さ方向の寸法）を小さくしても、使用時には小便器Ｕとしての必要な寸法を確保できる。
【００３４】
厚さの薄い小便器本体７は、壁５の薄いトイレ室（マンション、戸建て等の一般家庭用住宅等）２の壁５に、その殆どの部分を埋め込むように設置でき、トイレ室２の壁５が薄い一般家庭用住宅であっても、トイレ室２内に過剰に突出することなく設置できる。従って、図１に示すように、マンションや戸建て等の一般家庭用住宅のトイレ室２において、通常の便器（洋式便器）４の他に本実施形態に係る男性小便装置１を追加設置しても、小便器本体７がトイレ室２の壁５から過剰に突出しないため、圧迫感を軽減でき、トイレ室２をコンパクトに設計でき、建築コストの増大を抑制できる。
【００３５】
不使用時（通常時）には、図４（ａ）図４（ｄ）に示すように、蓋板９を閉じる。すると、蛇腹板１０が折り畳まれ、蓋板９によって小便器本体７の前面の開放部６が覆われる。この結果、放尿を受ける部分が、不使用時には閉空間１１の内方に閉じ込められて露出しない状態となり、清潔感が生じる。
【００３６】
また、蓋板９を小便器本体７の前面の開放部６を覆うように閉じることで、蓋板９がトイレ室２の内方に突出しない状態となる。従って、図１に示すように、マンションや戸建て等の一般家庭用住宅のトイレ室２において、通常の便器（洋式便器）４の他に本実施形態に係る男性小便装置１を追加設置しても、洋式便器４の使用中に、男性小便装置１の蓋板９が邪魔になることはなく、トイレ室２をコンパクトに設計でき、建築コストの増大を抑制できる。
【００３７】
蓋板９を閉じたとき、小便器本体７の開放部６が蓋板９によって覆われて形成された閉空間１１（図４（ｄ）参照）に、洗浄手段１２が洗浄水を噴射するので、放尿を受ける部分が洗浄され、清潔性が保たれる。図３に示すように、洗浄手段１２は、蓋板９を閉じたとき、小便器本体７の上部７ａから閉空間１１を区画する小便器本体７の内面６ａに向けて洗浄水を噴射する本体用ノズル２１と、小便器本体７の上部７ａから閉空間１１を区画する蓋板９の内面に向けて洗浄水を噴射する蓋用ノズル２２とを有しているので、閉空間１１（図４（ｄ）参照）の内面を適切に洗浄できる。
【００３８】
本実施形態に係る男性用小便装置１においては、図２に示すように、小便器本体７の上部７ａに接続され洗浄手段１２に洗浄水を供給するための給水管２３と、小便器本体７の下部７ｃに接続され洗浄水および尿を排水するための排水管と２８が、トイレ室２の壁５の内部に埋め込まれてトイレ室２内に露出しないようになっているので、トイレ室２内には小便器本体７の一部および蓋板９のみが露出した状態となり、見た目がすっきりし、美観が向上する。
【００３９】
本実施形態に係る男性用小便装置１においては、図２に示すように、蓋板９の側面板９ｂの内面に段差部１７が形成され、段差部１７に蛇腹板１０が取り付けられており、蓋板９を閉じて側面板９ｂが開放部６の左右に当接したとき、図４（ａ）、図４（ｄ）に示すように、蛇腹板１０が折り畳まれて段差部１７に収容されるようになっている。よって、蓋板９を閉じたとき、蛇腹板１０がトイレ室２内に露出することはなく、見た目がすっきりし、美観が向上する。
【００４０】
（変形例１）
図５に、本発明の変形実施形態に係る男性用小便装置１ａの横断面図を示す。図５は、前実施形態の図４（ｅ）に相当する。この変形実施形態に係る男性用小便装置１ａは、蛇腹板１０を二重に配設し、蓋板９の段差部１７に加えて、小便器本体７にも段差部１７ａを設けた点のみが前実施形態と相違し、その他の構成は前実施形態と同様である。蛇腹板１０を二重にすることで、展開・折畳の際に各蛇腹板１０に加わる負荷が１／２に軽減され、耐久性が向上する。また、二重の蛇腹板１０が折り畳まれたときの収容スペースを、蓋板９の段差部１７に加えて小便器本体７に形成した段差部１７ａによって拡大している。この変形実施形態の基本的な作用効果は、前実施形態と同様であるため説明を省略する。
【００４１】
（変形例２）
図６に、本発明の別の変形実施形態に係る男性用小便装置１ｂの側面図を示す。図６は、最初の実施形態の図４（ｃ）に相当する。この変形実施形態に係る男性用小便装置１ｂは、小便器本体７が厚さ方向（トイレ室２の壁５の厚さ方向）に、手前側小便器本体７ｘと奥側小便器本体７ｙとに二分割され、手前側小便器本体７ｘが奥側小便器本体７ｙにスライド機構３１を介して昇降自在に取り付けられている。スライド機構３１には、例えば蟻溝および蟻型を用いた公知の機構が用いられる。
【００４２】
図６に示すように、この男性用小便装置１ｂにおいては、奥側小便器本体７ｙのみがトイレ室２の壁５に埋め込まれており、手前側小便器本体７ｘは、トイレ室２内にて昇降自在となっている。奥側小便器本体７ｙには、最初の実施形態と同様に、給水管２３と排水管２８とが接続されており、手前側小便器本体７ｘには、最初の実施形態と同様に、開放部６が形成され、蓋板９が開閉自在に取り付けられ、切欠部１３が形成され、蛇腹板１０が取り付けられている。その他の基本的な構成は、最初の実施形態と同様である。
【００４３】
この男性用小便装置１ｂによれば、使用者（放尿する者）の身長の高低に応じて手前側小便器本体７ｘを適宜昇降させることで、手前側小便器本体７ｘと蓋板９と蛇腹板１０とで構成される小便器Ｕの放尿を受ける開口部分の高さを、使用者の放尿開始点に近付けることができる。よって、尿がトイレ室２内に飛び散る可能性を可及的に軽減できる。
【００４４】
以上、添付図面を参照しつつ本発明の好適な実施形態について説明したが、本発明は上述した実施形態に限定されないことは勿論であり、特許請求の範囲に記載された範疇における各種の変更例または修正例についても、本発明の技術的範囲に属することは言うまでもない。
【産業上の利用可能性】
【００４５】
本発明は、トイレ室の壁に埋め込まれるように設置される男性用小便装置に利用できる。
【符号の説明】
【００４６】
１  男性用小便装置
２  トイレ室
５  壁
６  開放部
７  小便器本体
８  ヒンジ
９  蓋板
９ａ  正面板
９ｂ  側面板
１０  蛇腹板
１１  閉空間
１２  洗浄手段
１７  段差部
２１  本体用ノズル
２２  蓋用ノズル
２３  給水管
２８  排水管
Ｕ  小便器
【図１】
2018115481.tif 000003
【図２】
2018115481.tif 000004
【図３】
2018115481.tif 000005
【図４】
2018115481.tif 000006
【図５】
2018115481.tif 000007
【図６】
2018115481.tif 000008